(57)【要約】【課題】複数の電流経路に対して電流を通電又は遮断する場合に搭載性を向上することができるリレーユニットを提供する。【解決手段】リレーユニット１は、箱状に形成された筐体と、第１接点部２０と、第２接点部３０と、第１タブ端子４１と、導電部材５０とを備える。第１接点部２０は、筐体に収容され、接点間の接続がオンオフされ電流を通電又は遮断する。第２接点部３０は、筐体に収容され、第１接点部２０とは異なる接点部であり接点間の接続がオンオフされ電流を通電又は遮断する。第１タブ端子４１は、板状に形成され一部が筐体１０の外部に露出する。導電部材５０は、筐体に収容され、第１接点部２０及び第２接点部３０と第１タブ端子４１とを連結し導通する。【選択図】図２
2020174006.tif 000002
【特許請求の範囲】
【請求項１】
箱状に形成された筐体と、
前記筐体に収容され、接点間の接続がオンオフされ電流を通電又は遮断する第１接点部と、
前記筐体に収容され、前記第１接点部とは異なる接点部であり接点間の接続がオンオフされ電流を通電又は遮断する第２接点部と、
板状に形成され一部が前記筐体の外部に露出するタブ端子と、
前記筐体に収容され、前記第１接点部及び前記第２接点部と前記タブ端子とを連結し導通する導電部材と、
を備えることを特徴とするリレーユニット。
【請求項２】
前記第１接点部は、電源側に設けられる第１接点及び負荷部側に設けられる第２接点を有し前記第１接点及び前記第２接点の接続がオンオフされ、
前記第２接点部は、電源側に設けられる第３接点及び負荷部側に設けられる第４接点を有し前記第３接点及び前記第４接点の接続がオンオフされ、
前記タブ端子は、電源側に設けられる第１タブ端子及び負荷部側に設けられる第２タブ端子を有し、
前記導電部材は、前記第１接点及び前記第３接点と前記第１タブ端子とを連結し、又は、前記第２接点及び前記第４接点と前記第２タブ端子とを連結する請求項１に記載のリレーユニット。
【請求項３】
前記導電部材は、板状且つ線状に形成されたバスバーであり、前記第１接点及び前記第３接点と前記第１タブ端子とを一体化し、又は、前記第２接点及び前記第４接点と前記第２タブ端子とを一体化する請求項２に記載のリレーユニット。
【請求項４】
前記第１接点部は、前記第１接点が固定接点であり、前記第２接点が可動接点であり、
前記第２接点部は、前記第３接点が固定接点であり、前記第４接点が可動接点であり、
前記導電部材は、前記固定接点である前記第１接点及び前記固定接点である前記第３接点と前記タブ端子とを連結する請求項２又は３に記載のリレーユニット。
【請求項５】
前記タブ端子は、複数設けられ、
複数の前記タブ端子は、他の電子部品を保持する保持部を複数組み合わせた統合保持部の端子挿入筒部に挿入可能に配置される請求項１〜４のいずれか１項に記載のリレーユニット。
【請求項６】
導電性を有する配索材と、
前記配索材と電気的に接続されるリレーユニットとを備え、
前記リレーユニットは、
箱状に形成された筐体と、
前記筐体に収容され、接点間の接続がオンオフされる第１接点部と、
前記筐体に収容され、前記第１接点部とは異なる接点部であり接点間の接続がオンオフされる第２接点部と、
板状に形成され一部が前記筐体の外部に露出するタブ端子と、
前記筐体に収容され、前記第１接点部及び前記第２接点部と前記タブ端子とを連結し導通する導電部材と、
を備えることを特徴とするワイヤハーネス。
【発明の詳細な説明】
【技術分野】
【０００１】
本発明は、リレーユニット及びワイヤハーネスに関する。
【背景技術】
【０００２】
従来、リレーユニットとして、例えば、電源から負荷部に流れる電流を通電又は遮断するリレーを複数設け、これらのリレーをスプライスにより連結したリレーユニットがある。このリレーユニットは、電源から負荷部に電流が流れる複数の電流経路に対して電流を通電又は遮断する。なお、特許文献１には、電源から負荷部に流れる電流を通電又は遮断するリレーが開示されている。
【先行技術文献】
【特許文献】
【０００３】
【特許文献１】特開２０１６−００４７０９号公報
【発明の概要】
【発明が解決しようとする課題】
【０００４】
ところで、上述のリレーユニットは、例えば、複数の電流経路に対して電流を通電又は遮断する場合に、スプライス等の連結部品により複数のリレーを連結する必要があり、配線の複雑化等を招き、搭載性が低下するおそれがある。
【０００５】
そこで、本発明は、上記に鑑みてなされたものであって、複数の電流経路に対して電流を通電又は遮断する場合に搭載性を向上することができるリレーユニットを提供することを目的とする。
【課題を解決するための手段】
【０００６】
上述した課題を解決し、目的を達成するために、本発明に係るリレーユニットは、箱状に形成された筐体と、前記筐体に収容され、接点間の接続がオンオフされ電流を通電又は遮断する第１接点部と、前記筐体に収容され、前記第１接点部とは異なる接点部であり接点間の接続がオンオフされ電流を通電又は遮断する第２接点部と、板状に形成され一部が前記筐体の外部に露出するタブ端子と、前記筐体に収容され、前記第１接点部及び前記第２接点部と前記タブ端子とを連結し導通する導電部材と、を備えることを特徴とする。
【０００７】
上記リレーユニットにおいて、前記第１接点部は、電源側に設けられる第１接点及び負荷部側に設けられる第２接点を有し前記第１接点及び前記第２接点の接続がオンオフされ、前記第２接点部は、電源側に設けられる第３接点及び負荷部側に設けられる第４接点を有し前記第３接点及び前記第４接点の接続がオンオフされ、前記タブ端子は、電源側に設けられる第１タブ端子及び負荷部側に設けられる第２タブ端子を有し、前記導電部材は、前記第１接点及び前記第３接点と前記第１タブ端子とを連結し、又は、前記第２接点及び前記第４接点と前記第２タブ端子とを連結することが好ましい。
【０００８】
上記リレーユニットにおいて、前記導電部材は、板状且つ線状に形成されたバスバーであり、前記第１接点及び前記第３接点と前記第１タブ端子とを一体化し、又は、前記第２接点及び前記第４接点と前記第２タブ端子とを一体化することが好ましい。
【０００９】
上記リレーユニットにおいて、前記第１接点部は、前記第１接点が固定接点であり、前記第２接点が可動接点であり、前記第２接点部は、前記第３接点が固定接点であり、前記第４接点が可動接点であり、前記導電部材は、前記固定接点である前記第１接点及び前記固定接点である前記第３接点と前記タブ端子とを連結することが好ましい。
【００１０】
上記リレーユニットにおいて、前記タブ端子は、複数設けられ、複数の前記タブ端子は、他の電子部品を保持する保持部を複数組み合わせた統合保持部の端子挿入筒部に挿入可能に配置されることが好ましい。
【００１１】
本発明に係るワイヤハーネスは、導電性を有する配索材と、前記配索材と電気的に接続されるリレーユニットとを備え、前記リレーユニットは、箱状に形成された筐体と、前記筐体に収容され、接点間の接続がオンオフされる第１接点部と、前記筐体に収容され、前記第１接点部とは異なる接点部であり接点間の接続がオンオフされる第２接点部と、板状に形成され一部が前記筐体の外部に露出するタブ端子と、前記筐体に収容され、前記第１接点部及び前記第２接点部と前記タブ端子とを連結し導通する導電部材と、を備えることを特徴とする。
【発明の効果】
【００１２】
本発明に係るリレーユニット及びワイヤハーネスは、第１接点部及び第２接点部とタブ端子とを連結し筐体に収容される導電部材を備えるので、複数の電流経路に対して電流を通電又は遮断する場合に、配線の複雑化を抑制することができ搭載性を向上することができる。
【図面の簡単な説明】
【００１３】
【図１】図１は、第１実施形態に係るリレーユニットの構成例を示す図である。
【図２】図２は、第１実施形態に係るリレーユニットの構成例を示す回路図である。
【図３】図３は、第１実施形態に係るリレーユニットの組み付け例を示す図である。
【図４】図４は、第２実施形態に係るリレーユニットの構成例を示す図である。
【図５】図５は、第１及び第２実施形態の変形例に係るリレーユニットの構成例を示す図である。
【発明を実施するための形態】
【００１４】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１５】
〔第１実施形態〕
図面を参照しながら第１実施形態に係るリレーユニット１について説明する。図１は、第１実施形態に係るリレーユニット１の構成例を示す図である。図２は、第１実施形態に係るリレーユニット１の構成例を示す回路図である。図３は、第１実施形態に係るリレーユニット１の組み付け例を示す図である。
【００１６】
リレーユニット１は、電源２から負荷部３に流れる電流を通電又は遮断するものである。リレーユニット１は、自動車等の車両に搭載され、ワイヤハーネス１００（図２参照）に組み込まれるものである。ワイヤハーネス１００は、例えば、車両に搭載される各機器間の接続のために、電源供給や信号通信に用いられる複数の配索材６を束にして集合部品とし、コネクタ等で複数の配索材６を各機器に接続するようにしたものである。ワイヤハーネス１００は、導電性を有する配索材６と、当該配索材６に電気的に接続されるリレーユニット１とを備える。配索材６は、例えば、金属棒、電線、電線束等によって構成される。金属棒は、導電性を有する棒状部材の外側を、絶縁性を有する被覆部によって覆ったものである。電線は、複数の導電性を有する金属素線からなる導体部（芯線）の外側を、絶縁性を有する被覆部によって覆ったものである。電線束は、当該電線を束ねたものである。ワイヤハーネス１００は、複数の配索材６を束ねて集約すると共に、束ねられた配索材６の端末に設けられたコネクタ等を介してリレーユニット１が電気的に接続される。ワイヤハーネス１００は、この他、更に、グロメット、プロテクタ、外装材、固定具等を含んで構成されてもよい。
【００１７】
リレーユニット１は、第１接点部２０、第２接点部３０等の電装品を集約して内部に収容するものである。リレーユニット１は、例えば、車両のエンジンルームや車両室内に設置される。リレーユニット１は、配索材６等を介して、バッテリやオルタネータ等の電源２と、車両内に搭載される各種電子機器等の負荷部３との間に接続されている。リレーユニット１は、ヒューズ４を介して電源２に接続され、当該電源２から供給された電力を車両内の各種電子機器等の負荷部３に分配する。以下、各図を参照してリレーユニット１の構成について詳細に説明する。
【００１８】
具体的には、リレーユニット１は、筐体１０と、第１接点部２０と、コイルＬ１と、第２接点部３０と、コイルＬ２と、タブ端子４０と、導電部材５０とを備える。
【００１９】
筐体１０は、第１接点部２０、第２接点部３０、及び、導電部材５０を収容するものである。筐体１０は、絶縁性の樹脂等により形成され、図１に示すように、第１リレー筐体１１と、第２リレー筐体１２と、連結部１３とを含んで構成される。第１リレー筐体１１は、箱状に形成され、その内部に第１接点部２０及び導電部材５０の一部を収容している。第１リレー筐体１１は、既存のリレーの筐体と同等の形状に形成されている。つまり、第１リレー筐体１１は、１つの電流経路を通電又は遮断するリレー単体の筐体と同等の形状に形成されている。第２リレー筐体１２は、箱状に形成され、第１リレー筐体１１と同等の大きさに形成されている。第２リレー筐体１２は、その内部に第２接点部３０及び導電部材５０の一部を収容している。第２リレー筐体１２は、既存のリレー単体の筐体と同等の形状に形成されている。
【００２０】
連結部１３は、第１リレー筐体１１及び第２リレー筐体１２を連結するものである。連結部１３は、筒状に形成され、一端が第１リレー筐体１１の側壁部に連結され、他端が第２リレー筐体１２の側壁部に連結されている。連結部１３は、第１リレー筐体１１及び第２リレー筐体１２を互いに連通させた状態で連結する。つまり、連結部１３は、第１リレー筐体１１の内部空間と第２リレー筐体１２の内部空間とを連通させている。連結部１３は、その内部に導電部材５０が延在している。
【００２１】
第１接点部２０は、図２に示すように、接点間の接続がオンオフされ、電流を通電又は遮断するものである。第１接点部２０は、第１リレー筐体１１に収容されている。第１接点部２０は、第１接点２１と、第２接点２２とを含んで構成される。第１接点２１は、電源２側に設けられ、第１リレー筐体１１の内部に固定された固定接点である。第１接点２１は、導電部材５０を介して電源２側の第１タブ端子４１に連結されている。
【００２２】
第２接点２２は、負荷部３側に設けられ、第１リレー筐体１１の内部に可動自在に設けられた可動接点である。第２接点２２は、接続線を介して負荷部３側の第２タブ端子４２ａに接続されている。第２接点２２は、磁化したコイルＬ１により第１接点２１側に移動し、当該第１接点２１と接触する。一方、第２接点２２は、コイルＬ１の磁化が解消された場合、バネ等の復帰力により第１接点２１とは反対側に移動し、当該第１接点２１と非接触となる。このように、第１接点部２０は、第１接点２１及び第２接点２２の接続がオンオフされる。
【００２３】
コイルＬ１は、第１接点２１及び第２接点２２を接触状態又は非接触状態とするものである。コイルＬ１は、一端がコイル用の第１タブ端子４３ａに接続され、他端がコイル用の第２タブ端子４４ａに接続されている。コイルＬ１は、第１タブ端子４３ａ及び第２タブ端子４４ａの間で電流が流れると磁化され電磁石として機能する。コイルＬ１は、磁化された場合、可動接点である第２接点２２を第１接点２１側に移動させ、当該第２接点２２を第１接点２１に接触させる。一方、コイルＬ１は、磁化されていない場合、可動接点である第２接点２２を第１接点２１側に移動させず、当該第２接点２２を第１接点２１に接触させない。なお、コイルＬ１は、抵抗Ｒ１が並列に接続されている。
【００２４】
第２接点部３０は、接点間の接続がオンオフされ、電流を通電又は遮断するものである。第２接点部３０は、第１接点部２０とは異なる接点部であり、第２リレー筐体１２に収容されている。第２接点部３０は、第３接点３１と、第４接点３２とを含んで構成される。第３接点３１は、電源２側に設けられ、第２リレー筐体１２の内部に固定された固定接点である。第３接点３１は、導電部材５０を介して電源２側の第１タブ端子４１に連結されている。
【００２５】
第４接点３２は、負荷部３側に設けられ、第２リレー筐体１２の内部に可動自在に設けられた可動接点である。第４接点３２は、接続線を介して負荷部３側の第２タブ端子４２ｂに接続されている。第４接点３２は、磁化したコイルＬ２により第３接点３１側に移動し、当該第３接点３１と接触する。一方、第４接点３２は、コイルＬ２の磁化が解消された場合、バネ等の復帰力により第３接点３１とは反対側に移動し、当該第３接点３１と非接触となる。このように、第２接点部３０は、第３接点３１及び第４接点３２の接続がオンオフされる。
【００２６】
コイルＬ２は、第３接点３１及び第４接点３２を接触状態又は非接触状態とするものである。コイルＬ２は、一端がコイル用の第１タブ端子４３ｂに接続され、他端がコイル用の第２タブ端子４４ｂに接続されている。コイルＬ２は、第１タブ端子４３ｂ及び第２タブ端子４４ｂの間で電流が流れると磁化され電磁石として機能する。コイルＬ２は、磁化された場合、可動接点である第４接点３２を第３接点３１側に移動させ、当該第４接点３２を第３接点３１に接触させる。一方、コイルＬ２は、磁化されていない場合、可動接点である第４接点３２を第３接点３１側に移動させず、当該第４接点３２を第３接点３１に接触させない。なお、コイルＬ２は、抵抗Ｒ２が並列に接続されている。
【００２７】
タブ端子４０は、導電性の部材により形成された端子である。タブ端子４０は、板状に形成され、一部が筐体１０の外部に露出し、残り部分が筐体１０の内部に設けられている。タブ端子４０は、電源２側の第１タブ端子４１と、負荷部３側の第２タブ端子４２ａ、４２ｂと、コイル用の第１タブ端子４３ａ、４３ｂと、コイル用の第２タブ端子４４ａ、４４ｂとを有している。
【００２８】
電源２側の第１タブ端子４１は、電源２側に設けられ、一端が導電部材５０を介して第１接点２１及び第３接点３１に連結され、他端が接続線を介して電源２に接続されている。負荷部３側の第２タブ端子４２ａは、負荷部３側に設けられ、一端が接続線を介して負荷部３Ａに接続され、他端が接続線を介して第２接点２２に接続されている。コイル用の第１タブ端子４３ａは、一端が接続線を介してコイル用の電源（図示省略）の正極に接続され、他端がコイルＬ１の一端に接続されている。コイル用の第２タブ端子４４ａは、一端が接続線を介してコイル用の電源の負極に接続され、他端がコイルＬ１の他端に接続されている。
【００２９】
負荷部３側の第２タブ端子４２ｂは、負荷部３側に設けられ、一端が接続線を介して負荷部３Ｂに接続され、他端が接続線を介して第４接点３２に接続されている。コイル用の第１タブ端子４３ｂは、一端が接続線を介してコイル用の電源（図示省略）の正極に接続され、他端がコイルＬ２の一端に接続されている。コイル用の第２タブ端子４４ｂは、一端が接続線を介してコイル用の電源の負極に接続され、他端がコイルＬ２の他端に接続されている。
【００３０】
複数のタブ端子４０（４１、４２ａ、４２ｂ、４３ａ、４３ｂ、４４ａ、４４ｂ）は、既存のリレー保持部を流用できるように配置されている。複数のタブ端子４０は、例えば、図３に示すように、統合リレー保持部５Ａのキャビティ（端子挿入筒部）５ａに挿入可能に配置されている。統合リレー保持部５Ａは、他の電子部品を保持する単体リレー保持部５を複数組み合わせたものである。つまり、統合リレー保持部５Ａは、１つの電流経路を通電又は遮断するリレー単体を保持する単体リレー保持部５を複数組み合わせたものである。単体リレー保持部５は、例えば、５つのキャビティ５ａを有している。
【００３１】
導電部材５０は、電流を流す導体であり、筐体１０に収容されている。導電部材５０は、例えば、板状且つ線状に形成されたバスバーであり、絶縁性の被覆部材等により被覆されず導体が露出して形成されている。導電部材５０は、第１接点部２０及び第２接点部３０と電源２側の第１タブ端子４１とを連結する。導電部材５０は、例えば、第１導電線５１と、第２導電線５２と、分岐部５３とを含んで構成される。第１導電線５１は、固定接点である第１接点２１及び電源２側の第１タブ端子４１を連結している。第２導電線５２は、第１導電線５１から分岐部５３で分岐し、固定接点である第３接点３１及び電源２側の第１タブ端子４１を連結している。分岐部５３は、第１タブ端子４１から延在する一本の導電部材５０を第１接点２１側に延在する第１導電線５１と、第３接点３１側に延在する第２導電線５２とに分岐させている。
【００３２】
上述のように、導電部材５０は、固定接点である第１接点２１及び固定接点である第３接点３１と第１タブ端子４１とを連結している。そして、導電部材５０は、これらの第１接点２１及び第３接点３１と第１タブ端子４１とを一体化している。導電部材５０は、電源２側の第１タブ端子４１から流れる電流を分岐部５３で分岐させ、第１導電線５１を介して第１接点２１に電流を流し、且つ、第２導電線５２を介して第３接点３１に電流を流す。
【００３３】
以上のように、第１実施形態に係るリレーユニット１は、箱状に形成された筐体１０と、第１接点部２０と、第２接点部３０と、タブ端子４０と、導電部材５０とを備える。第１接点部２０は、筐体１０に収容され、接点間の接続がオンオフされ電流を通電又は遮断する。第２接点部３０は、筐体１０に収容され、第１接点部２０とは異なる接点部であり接点間の接続がオンオフされ電流を通電又は遮断する。タブ端子４０は、板状に形成され一部が筐体１０の外部に露出する。導電部材５０は、筐体１０に収容され、第１接点部２０及び第２接点部３０とタブ端子４０とを連結し導通する。
【００３４】
この構成により、リレーユニット１は、導電部材５０により第１接点部２０及び第２接点部３０とタブ端子４０とを連結するので、例えば、スプライス等の連結部品により第１接点部２０及び第２接点部３０を連結すること抑制できる。これにより、リレーユニット１は、部品点数の増加を抑制することができる。また、リレーユニット１は、配線の複雑化を抑制することができ、省線化を実現できる。この結果、リレーユニット１は、複数の電流経路に対して電流を通電又は遮断する場合に搭載性を向上することができる。また、リレーユニット１は、製造コストを抑制することができる。
【００３５】
上記リレーユニット１において、第１接点部２０は、電源２側に設けられる第１接点２１及び負荷部３側に設けられる第２接点２２を有し、第１接点２１及び第２接点２２の接続がオンオフされる。第２接点部３０は、電源２側に設けられる第３接点３１及び負荷部３側に設けられる第４接点３２を有し、第３接点３１及び第４接点３２の接続がオンオフされる。タブ端子４０は、電源２側に設けられる第１タブ端子４１及び負荷部３側に設けられる第２タブ端子４２ａ、４２ｂを有する。導電部材５０は、電源２側の第１接点２１及び電源２側の第３接点３１と電源２側の第１タブ端子４１とを連結する。この構成により、リレーユニット１は、電源２から流れる電流を導電部材５０により分岐させて電源２側の第１接点２１及び電源２側の第３接点３１に流すことができる。
【００３６】
上記リレーユニット１において、導電部材５０は、板状且つ線状に形成されたバスバーであり、第１接点２１及び第３接点３１と第１タブ端子４１とを一体化する。この構成により、リレーユニット１は、比較的大きな電流を通電させることができる。
【００３７】
上記リレーユニット１において、第１接点部２０は、第１接点２１が固定接点であり、第２接点２２が可動接点である。第２接点部３０は、第３接点３１が固定接点であり、第４接点３２が可動接点である。導電部材５０は、固定接点である第１接点２１及び固定接点である第３接点３１と第１タブ端子４１とを連結する。この構成により、リレーユニット１は、導電部材５０を固定接点に連結するので、導電部材５０を可動接点に接続する場合と比較して、第１接点２１及び第３接点３１と導電部材５０との連結を容易に行うことができる。
【００３８】
上記リレーユニット１において、タブ端子４０は、複数設けられる。複数のタブ端子４０は、他の電子部品を保持する単体リレー保持部５を複数組み合わせた統合リレー保持部５Ａのキャビティ５ａに挿入可能に配置される。この構成により、リレーユニット１は、既存のリレー保持部に組み付けることができ、汎用性を向上できる。リレーユニット１は、１つの電流経路を通電又は遮断するリレー単体を複数含んでおり、複数のリレー単体を統合リレー保持部５Ａに一度に組み付けることができ、作業性を向上できる。
【００３９】
ワイヤハーネス１００は、導電性を有する配索材６と、当該配索材６と電気的に接続されるリレーユニット１とを備える。この構成により、ワイヤハーネス１００は、上記リレーユニット１と同等の効果を奏することができる。
【００４０】
〔第２実施形態〕
次に、第２実施形態に係るリレーユニット１Ａについて説明する。図４は、第２実施形態に係るリレーユニット１Ａの構成例を示す図である。リレーユニット１Ａは、図４に示すように、導電部材５０Ａが、負荷部３側の第１接点部２０及び第２接点部３０と負荷部３側の第１タブ端子４１とを連結する点で第１実施形態に係るリレーユニット１と異なる。
【００４１】
リレーユニット１Ａは、第１接点２１が、負荷部３側に設けられている。第１接点２１は、導電部材５０Ａを介して負荷部３側の第１タブ端子４１に連結されている。リレーユニット１Ａは、第２接点２２が、電源２Ａ側に設けられている。第２接点２２は、接続線を介して電源２Ａ側の第２タブ端子４２ａに接続されている。
【００４２】
リレーユニット１Ａは、第３接点３１が、負荷部３側に設けられている。第３接点３１は、導電部材５０Ａを介して負荷部３側の第１タブ端子４１に連結されている。リレーユニット１Ａは、第４接点３２が、電源２Ｂ側に設けられている。第４接点３２は、接続線を介して電源２Ｂ側の第２タブ端子４２ｂに接続されている。
【００４３】
導電部材５０Ａは、第１接点部２０及び第２接点部３０と負荷部３側の第１タブ端子４１とを連結する。導電部材５０Ａは、例えば、第１導電線５１と、第２導電線５２と、合流部５４とを含んで構成される。第１導電線５１は、固定接点である第１接点２１及び負荷部３側の第１タブ端子４１を連結している。第２導電線５２は、第１導電線５１と合流部５４で合流し、固定接点である第３接点３１及び負荷部３側の第１タブ端子４１を連結している。合流部５４は、第１接点２１側から延在する第１導電線５１と、第３接点３１側から延在する第２導電線５２とを連結し合流させている。このように、第２実施形態に係るリレーユニット１Ａは、導電部材５０Ａにより、負荷部３側の第１接点２１及び負荷部３側の第３接点３１と負荷部３側の第１タブ端子４１とを連結し且つ一体化している。
【００４４】
〔変形例〕
次に、第１及び第２実施形態の変形例について説明する。リレーユニット１は、筐体１０が、第１リレー筐体１１と、第２リレー筐体１２と、連結部１３とを含んで構成され、第１リレー筐体１１に第１接点部２０及び導電部材５０の一部を収容し、第２リレー筐体１２に第２接点部３０及び導電部材５０の一部を収容する例について説明したが、これに限定されない。例えば、図５に示すように、リレーユニット１Ｂは、１つの筐体１０Ａに第１接点部２０、第２接点部３０、及び、導電部材５０を収容するようにしてもよい。図５は、第１及び第２実施形態の変形例に係るリレーユニット１Ｂの構成例を示す図である。
【００４５】
また、上記説明において、導電部材５０は、バスバーにより構成する例について説明したが、これに限定されず、例えば、電線等のその他の導電性の部材であってもよい。ここで、電線は、複数の導電性を有する金属素線からなる導体部（芯線）の外側を、絶縁性を有する被覆部によって覆ったものである。
【００４６】
導電部材５０、５０Ａは、板状に形成される例について説明したが、これに限定されず、棒状等のその他の形状であってもよい。
【００４７】
導電部材５０、５０Ａは、固定接点である第１接点２１及び固定接点である第３接点３１と第１タブ端子４１とを連結する例について説明したが、これに限定されない。導電部材５０、５０Ａは、例えば、可動接点である第２接点２２及び可動接点である第４接点３２と第２タブ端子４２ａ（４２ｂ）とを連結してもよい。
【符号の説明】
【００４８】
１、１Ａ、１Ｂ  リレーユニット
２  電源
３  負荷部
５  単体リレー保持部（保持部）
５Ａ  統合リレー保持部（統合保持部）
５ａ  キャビティ（端子挿入筒部）
６  配索材
１０、１０Ａ  筐体
２０  第１接点部
２１  第１接点
２２  第２接点
３０  第２接点部
３１  第３接点
３２  第４接点
４０  タブ端子
４１  第１タブ端子
４２ａ、４２ｂ  第２タブ端子
５０、５０Ａ  導電部材
１００  ワイヤハーネス
【図１】
2020174006.tif 000003
【図２】
2020174006.tif 000004
【図３】
2020174006.tif 000005
【図４】
2020174006.tif 000006
【図５】
2020174006.tif 000007